(57)【要約】【課題】画像データを生成し表示ユニット２に送信する制御部ユニット１と、前記画像データに基づき画像を表示する表示ユニット２を備える電子情報装置において、確実に不正傍受を防止する。【解決手段】制御部ユニット１は、画像データを生成する画像生成部１ａと、生成した画像データを前記表示ユニット２に送信するデータ送信部１ｂを備え、前記表示ユニット２は、複数の走査方向にて表示可能な複数の表示ドライバ６ａ〜６ｄと、前記複数の走査方向から走査方向を選出し前記画像データを当該走査方向に変換し当該走査方向に合致した表示ドライバに送信する表示制御部７とを備えた。【選択図】図１
2011008203.tif 000002
【特許請求の範囲】
【請求項１】
画像データを生成し表示ユニットに送信する制御部ユニットと、前記画像データに基づき画像を表示する表示ユニットを備える電子情報装置であって、
前記制御部ユニットは、画像データを生成する画像生成部と、生成した画像データを前記表示ユニットに送信する送信部を備え、
前記表示ユニットは、複数の走査方向にて表示可能な複数の表示ドライバと、前記複数の走査方向から走査方向を選出し前記画像データを当該走査方向に変換し当該走査方向に合致した表示ドライバに送信する表示制御部とを備えたことを特徴とする電子情報装置。
【請求項２】
画像データを生成し表示ユニットに送信する制御部ユニットと、前記画像データに基づき画像を表示する表示ユニットを備える電子情報装置であって、
前記制御部ユニットは、任意の走査方向を選出し画像データを当該走査方向に変換して生成する画像生成部と、変換された画像データに前記走査方向情報を含めて送信する送信部を備え、
前記表示ユニットは、複数の走査方向にて表示可能な複数の表示ドライバと、前記走査方向情報から走査方向を抽出し前記画像データを当該走査方向に合致した表示ドライバに送信する表示制御部とを備えたことを特徴とする電子情報装置。
【請求項３】
前記表示ユニットは、画像データまたは走査方向情報とともに一旦格納する画像データ記憶手段を備え、当該記憶した画像データまたはさらに走査方向情報に基づいて画像を表示するようにしたことを特徴とする特徴とする請求項１または請求項２記載の電子情報装置。
【発明の詳細な説明】
【技術分野】
【０００１】
本発明は、画像等を表示する際に発生する電磁波の不正傍受を防止する技術に関するものである。
【背景技術】
【０００２】
従来、電子情報装置は電気信号にて動作するために、この信号の送信によって発生する電磁波が装置外部に漏れ、この漏れた電磁波を解析して表示情報の信号等を割り出し、電子情報装置内の情報（ＬＣＤやＣＲＴに写し出される画像）を盗み取られる不正傍受；ＴＥＭＰＥＳＴ（Ｔｒａｎｓｉｅｎｔ  Ｅｌｅｃｔｒｏｍａｇｎｅｔｉｃ  Ｐｕｌｓｅ  Ｓｕｒｖｅｉｌｌａｎｃｅ  Ｔｅｃｈｎｏｌｏｇｙ）が問題となってきている。
【０００３】
そこで、この不正傍受を防ぐため、電子情報装置のシールド構造の強化やノイズ対策部品を追加することにより電子情報装置から漏れ出る電磁波を抑制し盗聴盗視を防止する技術や、ノイズの受信を困難にするために不要な雑音電波を外部に放射させ盗聴盗視を防止する技術や、伝送する信号を暗号化して盗聴盗視を防止する技術（例えば、特許文献１参照）、通信用信号と同じ周波数帯域のランダム信号を出力して盗聴、盗視の目的となる画像信号の特定を困難にする技術が提案されている（例えば、特許文献２参照）。
【先行技術文献】
【特許文献】
【０００４】
【特許文献１】特開平９−２３２１１号公報
【特許文献２】特開平８−１４９１２３号公報
【発明の概要】
【発明が解決しようとする課題】
【０００５】
しかしながら、シールドによる電磁波の漏洩を防止する方法では、完全なシールド構造とすることが困難であるため、電磁波が漏れてしまい、盗聴、盗視を完全に防ぐことは困難であった。
【０００６】
また、信号を暗号化する方法も盗聴、盗視に有効であるが、表示部の末端では暗号を復号化し、非暗号の信号として取り扱う必要があり、盗聴、盗視される可能性があった。
【０００７】
また、雑音電磁波を放射する方法では、各国のＥＭＣ（Ｅｌｅｃｔｒｏｍａｇｎｅｔｉｃ  Ｃｏｍｐａｔｉｂｉｌｉｔｙ；電磁環境適合性）規制上の問題や、他の電子機器を誤動作させる懸念があった。
【０００８】
また、通信用信号と同じ周波数帯域のランダム信号を出力する方法では、画像の同期信号においては、発振器個別のバラツキで発生するわずかな数ヘルツ程度の周波数誤差だけでも、目的信号の特定ができてしまい、盗聴、盗視が可能となりうるという問題があった。
【課題を解決するための手段】
【０００９】
本発明は、前述の課題を解決するため次の構成を採用する。すなわち、画像データを生成し表示ユニットに送信する制御部ユニットと、前記画像データに基づき画像を表示する表示ユニットを備える電子情報装置であって、前記制御部ユニットは、所定の順に複数の走査方向を設定して画像データを生成する画像生成手段と、生成した画像データを前記表示ユニットに送信する送信手段を備え、前記表示ユニットは、前記走査方向にて表示可能な複数の表示ドライバと、前記所定の順の走査方向に対応する表示ドライバを選出する表示制御部とを備え、前記制御部ユニットからの画像データを、前記所定の順に表示ドライバを選出して表示し、盗聴盗視を防止するようにした。
【発明の効果】
【００１０】
本発明の表示ユニットによれば、画像データを生成し表示ユニットに送信する制御部ユニットと、前記画像データに基づき画像を表示する表示ユニットを備える電子情報装置であって、前記制御部ユニットは、所定の順に複数の走査方向を設定して画像データを生成する画像生成手段と、生成した画像データを前記表示ユニットに送信する送信手段を備え、前記表示ユニットは、前記走査方向にて表示可能な複数の表示ドライバと、前記所定の順の走査方向に対応する表示ドライバを選出する表示制御部とを備え、前記制御部ユニットからの画像データを前記所定の順に表示ドライバを選出して表示し、盗聴盗視を防止するようにしたので、不正傍受しても一連の元画像データを視認することができず、盗聴盗視を確実に防止することができる。
【図面の簡単な説明】
【００１１】
【図１】実施例１の盗聴盗視防止機能を有する電子情報装置の構成図である。
【図２】実施例１の表示ユニットの走査方向を説明する図である。
【図３】実施例１の表示ユニットの表示ドライバの機能を説明する図である。
【図４】実施例１の盗聴盗視防止機能を有する電子情報装置の電磁波を不正傍受したときの画面例である。
【図５】実施例２の盗聴盗視防止機能を有する電子情報装置の構成図である。
【発明を実施するための形態】
【００１２】
以下、本発明に係わる実施の形態例を、図面を用いて説明する。図面に共通する要素には同一の符号を付す。
【実施例１】
【００１３】
（構成）
実施例１の盗聴盗視防止機能を有する電子情報装置の構成を図１に示す。同図に示したように、実施例１の電子情報装置は、制御部ユニット１と表示ユニット２が伝送ケーブル３により接続された構成となっており、制御部ユニット１の画像生成部１ａにて生成された画像データをデータ送信部１ｂにより伝送ケーブル３を介して表示ユニット２に送信するようになっている。
【００１４】
なお、制御部ユニット１では、通常の走査方向での画像データとしての取扱いを行うので、制御ユニット１は電磁波が漏れないように電磁シールド等により遮蔽するのがよい。
【００１５】
表示ユニット２では、表示制御部７にて受信した電気信号を処理し画像データとして画像データ記憶部６に一旦格納し、後述する変換処理等を行って表示ドライバ部６を介して表示部４を光らせることにより光情報として操作者に表示するようになっている。なお、画像データ記憶部５に一旦格納することなく高速に後述の変換処理等を行って表示ドライバ部５を介して表示部４を光らせるようにしてもよい。
【００１６】
表示ドライバ部６は、詳細後述のように、表示ドライバ６ａないし６ｄのように走査方向がそれぞれ異なる表示ドライバから構成される。なお、本実施例では、走査方向を４種類とし、それぞれ９０度ずつ走査方向が異なる例として以下説明する。
【００１７】
ところで、通常は、図２に示すように、水平同期および垂直同期信号により送られてくる画像データを左上から順に表示し、横一列分表示が終了すると、横一列下の画素を同様に表示しこれを繰り返し右下の画素まで表示が終了した後、再び、左上から同様に表示を繰り返す。すなわち、破線のような走査方向１０で画像データが表示されるようになっている。
【００１８】
そして、本実施例では、前述のように、それぞれ９０度ずつ走査方向が異なる４種類の表示ドライバ６ａ〜６ｄが備えられており、例えば、通常の走査方向１０による表示ドライバ６ａでは図３（ａ）に示したように受信した画像データをそのまま表示するが、走査方向を９０度回転させて表示する表示ドライバ６ｂでは図３（ｂ）のように表示し、同様に１８０度回転させて表示する表示ドライバ６ｃでは図３（ｃ）のように表示し、２７０度回転させて表示する表示ドライバ６ｄでは図３（ｄ）のように表示する。
【００１９】
（動作）
以上の構成により実施例１の盗聴盗視防止機能を有する電子情報装置は以下のように動作する。以下、図３および図４の動作説明図を用いて詳細な動作を説明する。
【００２０】
まず、制御部ユニット１は、画像生成部１ａにて通常の走査方向の画像データを生成し、データ送信部１ｂを経由して、前記生成した通常の走査方向の画像データを表示ユニット２に伝送する。
【００２１】
制御部ユニット１から電気信号により画像データを受け取った表示制御部７は、電気信号の垂直同期信号および水平同期信号から１画面または複数画面分の画像データ、すなわち１フレームまたは複数フレームの画像データごとに、画像データ記憶部５に格納する。
【００２２】
表示制御部７は、走査方向を任意に選出し、画像データ記憶部５に格納された画像データを１フレームもしくは数フレームごとに前記走査方向に変換し、前記走査方向に合致した６ａ〜６ｄのいずれかの表示ドライバに伝送する。
【００２３】
その結果、制御部ユニット１にて設定した走査方向に合致した走査方向で表示されるので、制御部ユニット１から送信された画像データをそのまま表示することができる。
【００２４】
一方、表示ユニット２から漏れる電磁波を不正傍受し画像データを復元しようとした場合は、走査方向を電磁波からは知ることができないために、通常の走査方向で画像データを復元することになる。
【００２５】
その結果、不正傍受し復元しようとした画像は、図４に示したように、フレーム毎に異なる反転や回転した画像が連続的に重なって表示されることとなり、本来の表示画像を視認することは極めて困難となる。
【００２６】
（実施例１の効果）
以上詳細に述べたように実施例１の盗聴盗視防止機能を有する電子情報装置によれば、画像データを生成し表示ユニットに送信する制御部ユニットと、前記画像データに基づき画像を表示する表示ユニットを備える電子情報装置において、前記制御部ユニットは、画像データを生成する画像生成部と、生成した画像データを前記表示ユニットに送信する送信部を備え、前記表示ユニットは、複数の走査方向にて表示可能な複数の表示ドライバと、前記複数の走査方向から走査方向を選出し前記画像データを当該走査方向に変換し当該走査方向に合致した表示ドライバに送信する表示制御部とを備えたので、表示ユニット近傍から漏れる電磁波の盗聴盗視を確実に防止することができる。
【実施例２】
【００２７】
（構成）
実施例２の盗聴盗視防止機能を有する電子情報装置の構成を図５に示す。同図に示したように、実施例２の盗聴盗視防止機能を有する電子情報装置では、制御部ユニット１にて任意の走査方向を選出し画像データを当該走査方向に変換し変換された画像データに前記走査方向情報を含めて制御部ユニット１から送信するようにし、これを受信した表示ユニット２の表示制御部７にて、受信した電気信号を処理し走査方向を抽出し、当該走査方向に合致した表示ドライバ６に当該画像データを送信して表示するようにしている。従って、実施例２の盗聴盗視防止機能を有する電子情報装置では、表示ユニット２にて変換処理等を行う必要がなくバッファとしての画像データ記憶部５を設ける必要はないが、画像データ記憶部５を設ける構成としても勿論よい。
【００２８】
なお、上記走査方向情報は、所定の暗号化方法により暗号化した情報とするのがよい。その他の構成は、実施例１の構成と同様であるので、簡略化のためにその詳細な説明は省略する。
【００２９】
（動作）
以上の構成により、実施例２の盗聴盗視防止機能を有する電子情報装置は、以下のように動作する。まず、制御部ユニット１は、画像生成部１ａにて１フレーム分の画像データまたは数フレームの画像データ毎に表示部４の走査方向を変え、当該走査方向に画像データを変換し、データ送信部１ｂから変換した画像データおよび走査方向情報も合わせて表示ユニット２に伝送する。
【００３０】
制御部ユニット１から電気信号により画像データおよび走査方向情報を受け取った表示制御部７は、電気信号の垂直同期信号および水平同期信号から１画面または複数画面分の画像データ、すなわち１フレームまたは複数フレームの画像データごとに、走査方向情報に合致した６ａ〜６ｄのいずれかの表示ドライバに送信する。
【００３１】
その結果、制御部ユニット１にて走査方向を変えて生成された画像データは、元の表示方向に戻されて表示され、元の画像が表示される。
【００３２】
一方、電磁波を不正傍受し画像データを復元しようとした場合は、走査方向を電磁波からは知ることができないために、通常の走査方向によって画像データを復元することになり、不正傍受した画像データを通常の走査方向にて表示すると、走査方向がフレーム毎に変化し、前述の図４に示したように表示され、本来の表示画像を視認することは極めて困難となる。
【００３３】
（実施例２の効果）
以上詳細に述べたように、実施例２の盗聴盗視防止機能を有する電子情報装置によれば、画像データを生成し表示ユニットに送信する制御部ユニットと、前記画像データに基づき画像を表示する表示ユニットを備える電子情報装置において、前記制御部ユニットは、任意の走査方向を選出し画像データを当該走査方向に変換して生成する画像生成部と、変換された画像データに前記走査方向情報を含めて送信する送信部を備え、前記表示ユニットは、複数の走査方向にて表示可能な複数の表示ドライバと、前記走査方向情報から走査方向を抽出し、前記画像データを当該走査方向に合致した表示ドライバに送信する表示制御部とを備えたので、表示ユニットだけでなく、制御ユニット、伝送ケーブル等から漏れる電磁波による盗聴盗視をも確実に防止することができる。
【００３４】
《その他の変形例》
以上の実施例の説明では、４種類の表示ドライバ６ａ〜６ｄを備え、４種類の走査方向を用いる例を示したが、さらに増やしてもよいし、逆に３種類或いは２種類とするようにしてもよい。
【００３５】
また、以上の実施例の説明では、走査方向を替える方法については説明しなかったが、実施例１では表示制御部７にて、実施例２では制御部ユニット１にて所定の乱数発生手段を用いて走査方向をランダムに設定するようにすればよい。
【産業上の利用可能性】
【００３６】
以上述べたように、本発明は、表示部等への表示内容を電磁波の傍受により盗視盗聴されることを防止する必要のある電子情報装置などに広く利用することができる。
【符号の説明】
【００３７】
１    制御部ユニット
１ａ  画像生成部
１ｂ  データ伝送部
２    表示ユニット
３    伝送ケーブル
４    表示部
５    画像データ記憶部
６    表示ドライバ部
６ａ〜６ｄ  表示ドライバ
７    表示制御部
１０  電子情報装置
【図１】
2011008203.tif 000003
【図２】
2011008203.tif 000004
【図３】
2011008203.tif 000005
【図４】
2011008203.tif 000006
【図５】
2011008203.tif 000007